(57)【特許請求の範囲】
【請求項１】
金属部材からなり、中央上部に配置されて湧昇流を発生させ、平面視してクロス状となって中央部が周囲より徐々に高くなった山形状の湧昇流発生部材と、
前記湧昇流発生部材を中心としてその４方に固着配置され、底部は４辺を有する矩形土台部となって、前記湧昇流発生部材が配置された側及びその反対側の前記矩形土台部にそれぞれ立設された垂直柱部及び傾斜柱部によって支持される平面視して矩形の石積部を有し、コンクリート又は鉄筋コンクリートからなる立体格子状のブロック体と、
隣り合う前記ブロック体を連結する金属製の連結部材とを有することを特徴とする人工魚礁。
【請求項２】
請求項１記載の人工魚礁において、前記湧昇流発生部材は、前記４つのブロック体の連結部まで外方に延長され、隣り合う前記ブロック体を連結するねじによって固定されていることを特徴とする人工魚礁。
【請求項３】
請求項１又は２記載の人工魚礁において、前記石積部の底部には、金属部材からなる格子底が設けられていることを特徴とする人工魚礁。
【請求項４】
請求項１〜３のいずれか１項に記載の人工魚礁において、前記連結部材は、隣り合う前記ブロック体の上部を連結する上梁材と、隣り合う前記ブロック体の下部で外側を連結し、該上梁材より長さの長い下梁材と、該上梁材及び下梁材の中間部を連結する斜め材とを有することを特徴とする人工魚礁。
【発明の詳細な説明】
【０００１】
【発明の属する技術分野】
本発明は、コンクリート又は鉄筋コンクリートからなるブロック体を主体とし、一部に金属部材を使用した人工魚礁( 漁礁) に関する。
【０００２】
【従来の技術】
魚礁の周辺に魚が集まる性質を利用して人工魚礁をつくり、効率よく魚をとることは古くから行われており、廃船を沈めたり、岩石、土俵、バスや電車などの老朽車両を魚礁として投入していた。しかしながら、このようなものは魚の生息に最適な魚礁とはいえないので、コンクリートブロックで構成された人工魚礁や、鋼製の人工魚礁（例えば、特開平１０−１９１８２６号公報）が提案されている。この鋼製の人工魚礁は鋼材が柱や梁等全体に使用され、角形形状の上部４隅に石積部が設けられていた。
【０００３】
【発明が解決しようとする課題】
従来は、底層流による石材の逸散や、砂泥の移動により投入した石材が埋まり、着定基質、及び増殖礁として機能が低下することがあった。
また、特開平１０−１９１８２６号公報に記載のような鋼製の人工魚礁は、全体として角柱状となっているので、角部が突出し、この人工魚礁が投入されている海域で操業すると、漁網やロープが投入された人工魚礁に引っ掛かる等の問題があった。
本発明はこのような事情に鑑みてなされたもので、湧昇流を発生させる魚礁と石詰め魚礁の両方の機能を発揮し、金属製部材を部分的に使用しながらも、必要に応じて積み重ねも可能で、海底に投入後は操業中の漁網やロープ等が引っ掛かりにくい人工魚礁を提供することを目的とする。
【０００４】
【課題を解決するための手段】
前記目的に沿う本発明に係る人工魚礁は、金属部材からなり、中央上部に配置されて湧昇流を発生させ、平面視してクロス状となって中央部が周囲より徐々に高くなった山形状の湧昇流発生部材と、
前記湧昇流発生部材を中心としてその４方に固着配置され、底部は４辺を有する矩形土台部となって、前記湧昇流発生部材が配置された側及びその反対側の前記矩形土台部にそれぞれ立設された垂直柱部及び傾斜柱部によって支持される平面視して矩形の石積部を有し、コンクリート又は鉄筋コンクリートからなる立体格子状のブロック体と、
隣り合う前記ブロック体を連結する金属製の連結部材とを有している。
【０００５】
この人工魚礁は、主体は４つのコンクリート（鉄筋コンクリートを含む）のブロック体からなって、補助部材としてを金属部材（例えば、鋼材）を使用し、湧昇流を発生させる湧昇流発生部材、連結部材等の複雑な部分を効率的に形成している。
また、湧昇流発生部材は山形状となって、その周囲に設けられているブロック体もその側面を傾斜柱部によって支持されて傾斜状となっており、更には、隣り合うブロック体を連結する連結部材も傾斜状になっている。従って、全体的に中央が盛り上がった山形状となっているので、漁網等の引っ掛かりが少ない。
そして、中央で上方に突出する湧昇流発生部材は全体の中央上部に設けられて、その下部は空間となっているので、複数の人工魚礁を積み上げることができる。
【０００６】
ここで、本発明の人工魚礁において、前記湧昇流発生部材は、前記４つのブロック体の連結部まで外方に延長され、隣り合う前記ブロック体を連結するねじによって固定するのが好ましいが他の固定手段であってもよい。これによって、金属部材からなる湧昇流発生部材を確実にブロック体に固定できる。
更に、本発明の人工魚礁において、前記石積部の底部には、金属部材からなる格子底を設けるのが好ましい。これによって、コンクリート又は鉄筋コンクリートと金属部材の調和を図って底に十分な強度があって潮通しのよい適当な隙間を有する石積部を構成できる。
【０００７】
そして、本発明の人工魚礁においては、前記連結部材は、隣り合う前記ブロック体の上部を連結する上梁材と、隣合う前記ブロック体の下部で外側を連結し該上梁材より長さの長い下梁材と、該上梁材及び下梁材の中間部を連結する斜め材とを有するのが好ましい。これによって、連結部材の強度を向上することができると共に、この連結部材によってその下方に新たな魚礁空間が形成される。
前記本発明の人工魚礁の石積部は、海底部より棚上げすることと、石材を部材によって格納することにより、砂泥の移動・堆積等による石積部の機能の低下を生じることがなく、また、湧昇流発生部材を配置することにより湧昇流や渦流を発生させ、石積部に酸素を供給すると共にプランクトンや海藻類の胞子の着生に対しても効果的な構造である。更に、石積部下方に魚介類の棲み場・隠れ場・休息場となる陰影空間が形成される。石積部の石材は、石材量とその効果について考慮し、少ない使用量で効率的に効果を発揮させるものとした。
【０００８】
【発明の実施の形態】
次に、添付した図面を参照しつつ、本発明を具体化した実施の形態につき説明し、本発明の理解に供する。
ここで、図１は本発明の一実施の形態に係る人工魚礁の斜視図、図２は同人工魚礁の平面図、図３は同人工魚礁の正面図、図４（Ａ）〜（Ｃ）は同人工魚礁のブロック体の正面図、平面図、側面図、図５は同人工魚礁の湧昇流発生部材の平面図、図６は同人工魚礁の湧昇流発生部材の組み立て状態を示す正面図、図７は同人工魚礁の格子底の平面図、図８は同人工魚礁の格子底の正面図、図９は同人工魚礁の連結部材の正面図、図１０は同人工魚礁の連結部材の平面図である。
【０００９】
図１〜図３に示すように、本発明の一実施の形態に係る人工魚礁１０は、中央部に配置される湧昇流発生部材１１と、湧昇流発生部材１１の４方外側に配置されたコンクリート（鉄筋コンクリートを含む）からなる４つの立体格子状のブロック体１２〜１５と、隣合うブロック体１２〜１５の側外部を連結する連結部材１６と、ブロック体１２〜１５の上位置に形成された石積部１７〜２０に配置される多数の自然石２１とを有している。以下、これらについて詳しく説明する。
図１〜図３、図５及び図６に示すように、湧昇流発生部材１１は、厚みが６〜１２ｍｍ程度の鉄板からなって、平面視してクロス状となった４つの羽根板部２３を有し、その中央部分（即ち交叉部分）を二等辺山形鋼からなる４本の補強材２４が溶接されている。湧昇流発生部材１１を構成する各羽根板部２３は平行四辺形状となって、上辺２５及び下辺２６が中側辺２７に対して約３０〜６０度程度の傾斜角度θになっている。この４つの羽根板部２３を組み合わせることによって、中央部が周辺部より徐々に高くなる山形状となった湧昇流発生部材１１が形成されている。この湧昇流発生部材１１の周囲には外方に延長されている取付け板部２８が形成され、この部分には取付け孔２９、３０がそれぞれ形成されている。
【００１０】
この湧昇流発生部材１１を中心にして４方に対向して固着配置されるコンクリート製のブロック体１２（１３〜１５も同様）は、図１〜図４（Ａ）〜（Ｃ）に示すように、土台（底部）となる４辺を有する矩形土台部３１と、これの上方に配置される石積部１７（１８〜２０）を構成する平面視して矩形の上枠部３３と、これらを内外から連結支持する垂直柱部３４及び傾斜柱部３５とを有している。この矩形土台部３１の表側の部材３１ａは、他の部材と比較して高さを有するので、裏側のコンクリート面３１ｂは幼稚仔魚等の魚類が害敵種から逃れるための遮蔽面となり、それから形成される陰影によっても良好な隠れ場となる。また、上枠部３３の横幅は矩形土台部３１の横幅と同一となっているが、上枠部３３の縦方向（半径方向）の幅は矩形土台部３１の縦方向の幅より狭くなっている。従って、傾斜柱部３５を有している側面は、下部の矩形土台部３１から上部の石積部１７にかけ、垂直面に対して３０〜５０度程度の傾斜面を形成している。
左右の垂直柱部３４には斜め垂直壁面３６を有し、この部分には上下に貫通孔３７、３８がそれぞれ設けられている。斜め垂直壁面３６の幅は前記した湧昇流発生部材１１の取付け板部２８の幅と略同一となって、取付け孔２９、３０の位置及び直径が貫通孔３７、３８と符合するようになっている。
また、上枠部３３の内外の長手材３９、４０には上下に挿通する貫通孔４１、４２がそれぞれ設けられ、両側の傾斜柱部３５の上下にも、連結部材１６を取付けるための埋め込み長ナット３５ａ、３５ｂ（又は貫通孔）が設けられている。
【００１１】
図２に示すように、前記石積部１７は周囲の上枠部３３と底部の格子底４３とで構成されている。格子底４３は、図７、図８に示すように、縦横に所定間隔で配置された平鋼４４、４５と、途中位置に縦方向に設けられた山形鋼４７、４８とを有し、これらは溶接されて一体構造となっている。
山形鋼４７、４８にはそれぞれ貫通孔４９、５０が設けられているが、これらの貫通孔４９、４９と貫通孔５０、５０は前記した上枠部３３の貫通孔４１、４２に符合し、上下に貫通する図示しないボルトとナットによって格子底４３を上部枠３３の底部に固定できる構造となっている。
【００１２】
図１〜図３に示すように、４方に組まれたブロック体１２〜１５は隣り合うブロック体１２〜１５の側外部が連結部材１６によって連結されている。
この連結部材１６を図９、図１０に示すが、上下の山形鋼からなる上梁材５１と下梁材５２とこれらの中間部を連結する溝形鋼からなる斜め材５３とを有している。下梁材５２は上梁材５１より長さが長く、上梁材５１及び下梁材５２の両端部にはそれぞれ斜めに取付け板５４、５５が設けられ、この取付け板５４、５５にブロック材１２〜１５に設けられた埋め込み長ナット３５ａ、３５ｂに螺合するボルトが挿通する貫通孔５６、５７が設けられている。従って、左右の取付け板５４、５５の交叉角度は９０度となっている。
【００１３】
次に、この人工魚礁１０の製造方法及び組み立て方法について説明する。
４つのブロック体１２〜１５、湧昇流発生部材１１、４つの格子底４３及び４つの連結部材１６は予め陸上（工場）で製造しておく。
そして、海岸脇のヤードでこれらを組み立てることになるが、まず４つのブロック体１２〜１５を図２に示すように、隣り合う各ブロック体１２〜１５の垂直柱部３４が向かい会うようにして配置する。各ブロック体１２〜１５の垂直柱部３４の間には上部から湧昇流発生部材１１の取付け板部２８が嵌入する隙間を設けておく。
この状態で、中央上部に湧昇流発生部材１１を下ろし、取付け板部２８を各ブロック体１２〜１５の垂直柱部３４の隙間（即ち、連結部）に嵌入する。取付け板部２８に形成されている取付け孔２９、３０の位置と垂直柱部３４に形成されている貫通孔３７、３８との位置を符合させ、図示しない長ボルトを隣り合うブロック体１２〜１５の垂直柱部３４に貫通させてナットを螺合させてねじ固定する。これによって、４つのブロック体１２〜１５が連結され、湧昇流発生部材１１がブロック体１２〜１５の中央上部に組み付けられる。
【００１４】
そして、隣り合うブロック体１２〜１５の側外部（上部及び下部）を、図１、図２に示すように連結部材１６が連結する。この連結は連結部材１６の上下の取付け板５４、５５に形成された貫通孔５６、５７にボルトを挿通し、各ブロック体１２〜１５の傾斜柱部３５に設けられた埋め込み長ナット３５ａ、３５ｂに螺合させることによって行う。これによって、隣り合うブロック体１２〜１５の側外部の部分に魚の住処となる魚礁空間が形成される。
この後、各ブロック体１２〜１５の上枠部３３の底面に格子底４３を取付ける。この格子底４３の取付けは、符合する上枠部３３の貫通孔４１、４２と格子底４３の貫通孔４９、５０に図示しないボルトを挿通し、その端部にナットを螺合させることによって行う。これによって、各ブロック体１２〜１５にそれぞれ石積部１７〜２０が形成されるので、適当な大きさの自然石２１等を入れる。これによって人工魚礁１０が完成するので、船で所定の場所に搬送し、クレーンで吊って所定の海底に下ろす。
【００１５】
海底にある人工魚礁１０はブロック体１２〜１５の周囲は傾斜柱部３５によって中央上がりの斜めに形成され、湧昇流発生部材１１は全体として山形状に形成されているので、全体として山形状となって、操業中の漁網やロープ等が引っ掛からない構造となっている。
そして、各ブロック体１２〜１５には空間部が形成されていると共に、ブロック体１２〜１５で囲まれる空間部が存在し、更にはその上に湧昇流発生部材１１が設けられているので、この部分で湧昇流が発生し、魚により良い環境を形成することができる。
湧昇流発生部材１１はブロック体１２〜１５から突出しているが、各羽根板部２３は平行四辺形となっているので、湧昇流発生部材１１の下方に、湧昇流発生部材１１の上部が嵌入可能な空間を形成し、これによって、図３に示すように、複数の人工魚礁１０を積み重ねることができる。その結果、船上において、人工魚礁１０を積み重ねができるため、人工魚礁１０の設置場所までの船による移送の航海数を削減できる。
【００１６】
以上、本発明の実施の形態を具体的に説明したが、本発明はこの実施の形態に限定されるものではなく、本発明の要旨を変更しない範囲での変更を行うことも可能である。
例えば、この実施の形態においては、連結部材１６はボルトを埋め込み長ナット３５ａ、３５ｂによってブロック体１２〜１５に固定したが、傾斜柱部３５に貫通孔を形成し、直接ボルトとナットによって固定することもできる。
更に、連結部材の形状もこの実施の形態に限定されるものではなく、その他の構成部材によって形成することもできる。
なお、前記実施の形態においては、金属部材に鋼材を使用したが、ステンレス鋼材等を使用し、更に寿命を延長することも可能である。
【００１７】
【発明の効果】
請求項１〜４記載の人工魚礁においては、各々に石積部を有するコンクリート又は鉄筋コンクリートからなるブロック体を主体とし、中央に湧昇流発生部材を組み合わせて構成しているので、より有効な魚礁空間及び湧昇流の発生空間を確保できる人工魚礁を提供できる。
そして、組合わさった状態のブロック体の外側面には傾斜柱部があり、ブロック体上部に突出する湧昇流発生部材は山形状となっているので、人工魚礁全体が山形状となり、操業中の漁網やロープ等が引っ掛かり難い。
更には、中央上部にある湧昇流発生部材の下方は、同一形状の湧昇流発生部材の上部が嵌入する空間があるので、複数の人工魚礁を積み重ねることができる。
これによって保管スペースや船上での搭載スペースを減少することができる。
このように、人工魚礁においては、平面視してクロス状で中央部が周囲より徐々に高くなった山形状の湧昇流発生部材は、流動場の制御に優れており、底層の栄養塩を巻き上げる湧昇流を更に上方にまで発生させたり、石積部の高さより潮流の抵抗面を高くすることにより湧昇流となる水塊が増大し、湧昇流発生部材より前方の石積部にまで上昇する流れが通過することから、石材へのプランクトンや海藻類の胞子の着生、及び酸素の供給を促進させる。この時、湧昇流発生部材の両脇、及び後方の石積部については、湧昇流発生部材が山形状であることで、潮流が廻り込み易いため、着生機能が阻害されることはない。また、水平方向のどの角度からみても湧昇流発生部材の前方に石積部が配置された構造であることから、上記の湧昇流発生部材の石積部にもたらす効果は潮流の進入方向を選ばない。更に、潮流の抵抗面を拡大することは、魚礁後方の後流域においてより広範囲に栄養塩を移送させる渦流域、及び滞留域を形成させ、プランクトンの増殖に伴う集魚効果を促進できる。
特に、請求項２記載の人工魚礁においては、湧昇流発生部材が４つのブロック体の連結部まで延長され、湧昇流発生部材の４つの最外部がブロック体の連結部で、ブロック体と共にねじによって固定されているため、ブロック体と湧昇流発生部材との組み立てが比較的簡単な作業で行える。
請求項３記載の人工魚礁においては、石積部の底部に金属製の格子底が設けられているために、底部に適切な隙間を形成して石積部を形成でき、これによって石積部に上昇流や下降流を発生させ、内部酸素を確保して藻や魚の生息環境を確保できる。
そして、請求項４記載の人工魚礁は、隣り合うブロック体が、上梁材と、上梁材より長い下梁材で連結され、さらに、この上梁材と下梁材を斜め材で連結しているため、人工魚礁の側面の斜め状態を保ちながら、隣り合うブロック体の側部に魚礁空間を形成できる。
【図面の簡単な説明】
【図１】本発明の一実施の形態に係る人工魚礁の斜視図である。
【図２】同人工魚礁の平面図である。
【図３】同人工魚礁を重ねる場合の説明図である。
【図４】（Ａ）〜（Ｃ）はそれぞれ同人工魚礁のブロック体の正面図、平面図、側面図である。
【図５】同人工魚礁の湧昇流発生部材の平面図である。
【図６】同人工魚礁の湧昇流発生部材の正面図である。
【図７】同人工魚礁の格子底の平面図である。
【図８】同人工魚礁の格子底の正面図である。
【図９】同人工魚礁の連結部材の正面図である。
【図１０】同人工魚礁の連結部材の平面図である。
【符号の説明】
１０：人工魚礁、１１：湧昇流発生部材、１２〜１５：ブロック体、１６：連結部材、１７〜２０：石積部、２１：自然石、２３：羽根板部、２４：補強材、２５：上辺、２６：下辺、２７：中側辺、２８：取付け板部、２９、３０：取付け孔、３１：矩形土台部、３１ａ：部材、３１ｂ：コンクリート面、３３：上枠部、３４：垂直柱部、３５：傾斜柱部、３５ａ、３５ｂ：埋め込み長ナット、３６：斜め垂直壁面、３７、３８：貫通孔、３９、４０：長手材、４１、４２：貫通孔、４３：格子底、４４、４５：平鋼、４７、４８：山形鋼、４９、５０：貫通孔、５１：上梁材、５２：下梁材、５３：斜め材、５４、５５：取付け板、５６、５７：貫通孔
【図１】
0004183862.tif 000002
【図２】
0004183862.tif 000003
【図３】
0004183862.tif 000004
【図４】
0004183862.tif 000005
【図５】
0004183862.tif 000006
【図６】
0004183862.tif 000007
【図７】
0004183862.tif 000008
【図８】
0004183862.tif 000009
【図９】
0004183862.tif 000010
【図１０】
0004183862.tif 000011